(57)【要約】【課題】  ＶＶＦケーブルや丸形ケーブル等のケーブルを容易に接続することができ、その接続状態を一見して確認することができる電源端子台を提供する。【解決手段】  ＶＶＦケーブル５を電源端子台２の第１開口部２ａに挿入すると、ＶＶＦケーブル５の先端が第２開口部２ｂから視認できる。この第２開口部２ｂを覆う透明カバー３には凸レンズ部３ｂが備えられており、電源端子台２内部の状態が拡大視される。また、この凸レンズ部３ｂには目印３ｃが設けられているので、ＶＶＦケーブル５の先端と目印３ｃとを照らし合わせることで接続状態を容易に把握することが可能になる。【選択図】        図１
2006127785.tif 000002
【特許請求の範囲】
【請求項１】
ケースと、前記ケースの内側に端子とを備え、
前記端子に接続させるケーブルを前記ケース内側に通す第１開口部と、
前記ケース内側に挿入されたケーブルと前記端子との接続状態が視認可能な第２開口部とを前記ケースに形成し、  
前記ケース内部の状態を拡大視させるレンズを備えた透明カバーで前記第２開口部をカバーする
ことを特徴とする電源端子台。
【請求項２】
前記端子のケーブルに接触する部分と前記第１開口部とが対向している
ことを特徴とする請求項１記載の電源端子台。
【請求項３】
前記ケースに形成する前記第１開口部と前記第２開口部とを前記ケースの異なる面に形成する
ことを特徴とする請求項１また２記載の電源端子台。
【請求項４】
前記第１開口部を前記ケースの側面に形成し、前記第２開口部を前記側面と略直交する面に形成する
ことを特徴とする請求項３記載の電源端子台。
【請求項５】
前記透明カバーを前記ケースに着脱自在とする
ことを特徴とする請求項１、２、３または４のいずれかに記載の電源端子台。
【請求項６】
前記第１開口部から挿入されたケーブルと前記端子との接続状態の確認を補助する目印を前記透明カバーに設けた
ことを特徴とする請求項１、２、３、４または５のいずれかに記載の電源端子台。
【請求項７】
前記透明カバーを難燃性の部材で構成した
ことを特徴とする請求項１、２、３、４、５または６のいずれかに記載の電源端子台。
【請求項８】
前記請求項１、２、３、４、５、６または７のいずれかに記載の電源端子台を備えた
ことを特徴とする空気調和機。
【発明の詳細な説明】
【技術分野】
【０００１】
本発明は、空気調和機の室外機と室内機とをつなぐ電源端子台及びそれを備えた空気調和機に関するものである。
【背景技術】
【０００２】
ルームエアコン等の空気調和機に備える電源端子台は、電源端子台とケーブルとを接続する接続部分に手等が触れないようにカバーを設けることが、安全性向上の観点から一般になっている。また、ケーブルを覆う絶縁体に色を付けて接続作業時の手間を軽減するようになっている。
このようなカバーの中には、カバーで覆った部分を容易に視認できるように透明な合成樹脂で成形したものがある（例えば、特許文献１参照）。
また、カバーが電源端子台から簡単に外れてしまうと、安全性向上の観点上好ましくない。例えば、ケーブル接続チェックや出力電圧チェック等の点検作業、アフターサービスやメンテナンス等の保守作業を行う作業員やサービスマン等が誤って接続部分に接触してしまう機会が増加してしまうことがある。そのような事態を防止するため、カバーをネジで電源端子台に固定するようにした配電盤の端子台がある（例えば、特許文献２参照）。
さらに、点検作業や保守作業を行う際の負担を軽減し、安全性を低下させないように、ネジで固定したカバーの開閉作業を容易にできるようにしたカバー付き端子台がある（例えば、特許文献３参照）。
【０００３】
【特許文献１】実公平８−７２８５号公報
【特許文献２】特開平４−２５５４０７号公報
【特許文献３】特開平８−２３６１７７号公報
【発明の開示】
【発明が解決しようとする課題】
【０００４】
上記の透明な合成樹脂で成形したカバーを用いると、電源端子台に挿入されているケーブルをそれを覆っている絶縁体の色で確認することができる。しかしながら、ケーブルが確実に電源端子台に接続されているかの確認は、絶縁体の色とは無関係にテスターピン等を挿入して確認しなければならず、一見して判断することができなかった。  
上記のカバーをネジで固定するものは、カバーの着脱作業に工具を要するので封印効果は増加する。しかしながら、電源端子台からのケーブル挿抜作業毎にカバーの着脱作業を行わなければならず、手間がかかった。
上記のカバー付き端子台は、容易にカバーの開閉ができるために手間をかけず、安全に点検作業や保守作業を行うことができる。しかしながら、点検作業や保守作業等の複雑な作業や作業工程が多い場合では手間を軽減するものの、端子台にケーブルを接続するだけのような単純な作業においてでさえ、カバーの開閉を必ず行わなければらず手間を十分に軽減してはいなかった。
【０００５】
本発明は、上記の課題を解決するためになされたもので、ＶＶＦケーブルや丸形ケーブル等のケーブルを容易に接続することができ、その接続状態を一見して確認することができる電源端子台を提供するものである。
【課題を解決するための手段】
【０００６】
本発明に係る電源端子台は、ケースと、前記ケースの内側に端子とを備え、前記端子に接続させるケーブルを前記ケース内側に通す第１開口部と、前記ケース内側に挿入されたケーブルと前記端子との接続状態が視認可能な第２開口部とを前記ケースに形成し、前記ケース内部の状態を拡大視させるレンズを備えた透明カバーで前記第２開口部をカバーすることを特徴とする。
【発明の効果】
【０００７】
本発明に係る電源端子台は、ケース内部の状態を拡大視させるレンズを備えた透明カバーで第２開口部をカバーするので、ケース内部を保護するとともに、第１開口部から挿入されたケーブルとケース内側に備えられた端子との接続が拡大された状態で容易に確認できる。
【発明を実施するための最良の形態】
【０００８】
以下、図面に基づいて本発明の実施の形態について説明する。図１は、本発明の実施の形態に係る電源端子台（ケース）２の全体斜視図である。図１において、電源端子台（ケース）２の構成について説明する。
電源端子台取付板１は、ルームエアコン等の空気調和機に設けられており、室外機１１と室内機１０とをケーブルを介して接続する電源端子台（ケース）２を固定する。電源端子台（ケース）２は、空気調和機内の室内機１０に組み込まれており、この室内機１０をＶＶＦケーブルや丸形ケーブル等のケーブルを介して室外機１１と接続させている。ここでは、ＶＶＦケーブル５で室内機１０と室外機１１とを接続している場合を示している。
【０００９】
ＶＶＦケーブル５は、平形ビニル絶縁ビニルシースケーブルの略で、空気調和機の室外機１１と室内機１０とを電気的に接続している。ここでは、３本のケーブルで構成されたＶＶＦケーブル５を例として示している。なお、ＶＶＦケーブル５を構成するケーブルは何本あっても構わない。また、色付きの絶縁体で覆われたケーブルで構成されたＶＶＦケーブル５を使用すると、ケーブル接続作業時の手間を軽減できる。
【００１０】
第１開口部２ａは、電源端子台（ケース）２の内側にＶＶＦケーブル５を通すために電源端子台（ケース）２に形成されている。また、第１開口部２ａは、電源端子台（ケース）２内部に備えられたタブ端子２ｃのＶＶＦケーブル５に接触する部分と対向するように電源端子台（ケース）２の側面に形成するとよい。そうすると、第１開口部２ａにＶＶＦケーブル５を挿入するだけで電源端子台（ケース）２内部に備えられたタブ端子２ｃと接続が可能になる。すなわち、第１開口部２ａに挿入したＶＶＦケーブル５が電源端子台（ケース）２内部で曲折しないので、ＶＶＦケーブル５を押し込めばタブ端子２ｃに到達することができる。なお、タブ端子２ｃは、その全部が電源端子台（ケース）２内にあってもよく、また図示するようにその先端部が電源端子台（ケース）２の外側に突出していてもよい。タブ端子２ｃの先端部が電源端子台（ケース）２の外側に突出している場合には、安全性向上の観点からその先端部をスリーブ（絶縁カバー）で覆うとよい。
また、ＶＶＦケーブル５の挿抜作業に伴ったカバーの着脱作業が不要なので、作業員やサービスマン等の作業負担が軽減する。特に、ケーブルを挿抜するだけのような単純な作業時の負担が軽減する。
【００１１】
第２開口部２ｂは、電源端子台（ケース）２内部の状態を視認可能なように電源端子台（ケース）２に形成されている。また、第２開口部２ｂから視認可能な範囲に、タブ端子２ｃを備えるとよい。そうすれば、第１開口部２ａからＶＶＦケーブル５が挿入されてからその先端とタブ端子２ｃとが接触するまでの状態が容易に把握できる。
第２開口部２ｂは、作業員やサービスマン等が点検作業や保守作業をする際に電源端子台（ケース）２内部の状態が把握し易いように、第１開口部２ａの形成面と異なる面に形成するとよい。例えば、第１開口部２ａが形成された側面と、略直交する面に第２開口部２ｂを形成すると、ＶＶＦケーブル５とタブ端子２ｃとの接続状態がより把握し易くなる。特に、第２開口部２ｂを電源端子台（ケース）２の上面に形成すると、ＶＶＦケーブル５とタブ端子２ｃとの接続状態を把握するために作業員やサービスマン等が姿勢を変化させることがなく、煩わしさがなくなる。
【００１２】
ケーブル接続チェックや出力電圧チェック等の点検作業、アフターサービスやメンテナンス等の保守作業等は、作業員やサービスマン等がタブ端子２ｃにテスターピン等を接触させて実行するようになっている。すなわち、空気調和機の電気的な状態の確認にタブ端子２ｃを使用している。ここでは、タブ端子２ｃの一部が電源端子台（ケース）２の外側と内側とにそれぞれ備えられて場合を示しているが、タブ端子２ｃの全部が電源端子台（ケース）２の内側に備えられていてもよい。また、タブ端子２ｃの先端部がスリーブで覆われているものでは、そのスリーブをずらしてテスターピン等を接触させるようになっている。
【００１３】
透明カバー３は、第２開口部２ｂを覆い電源端子台（ケース）２内部を保護するとともに覆った部分から電源端子台（ケース）２内部の状態を視認できるようになっている。また透明カバー３は、透明な合成樹脂等で成形するとよい。その透明な合成樹脂等には、ポリカーボネート等の難燃性の素材を用いるのが望ましい。それは、電源端子台（ケース）２には熱や火花が発生し易いので、燃えにくい部材を使用することで安全性を高めることができるからである。さらに、透明カバー３を、電源端子台（ケース）２に着脱自在にするとよい。そうすれば、ＶＶＦケーブル５の挿抜だけのような単純な作業では透明カバー３を取り外すことなく実行することができ、点検作業や保守作業のような複雑な作業では透明カバー３を取り外して実行することができる。特に、タブ端子２ｃを覆ったスリーブをずらしてから点検作業や保守作業を行う場合には、スリーブをずらすことなく透明カバー３を取り外して作業を行えばよいので、煩わしさが解消するとともに安全性の向上を図ることができる。なお、透明カバー３にテスターピン等が通過できる程度の孔を設けておくと、さらに透明カバー３の着脱作業が軽減できる。
【００１４】
止めネジ用孔３ａは、透明カバー３を電源端子台（ケース）２に固定するために止めネジ４を通す孔である。止めネジ４は、電源端子台（ケース）２と透明カバー３とを電源端子台取付板１に固定する機能を果たす。ここでは、透明カバー３を１つの止めネジ４で固定する場合を示してるが、２以上の止めネジで固定してもよい。また、透明カバー３を電源端子台（ケース）２に固定できて着脱可能なものであれば、止めネジ４に限定するものではない。
【００１５】
透明カバー３には凸レンズ部３ｂが備えられており、この凸レンズ部３ｂは電源端子台（ケース）２内部の状態を拡大視する機能を果たす。ここでは、電源端子台（ケース）２内部の状態を視認可能な第２開口部２ｂの部分と対応する透明カバー３の部分に凸レンズ部３ｂを備えた場合を示している。なお、第２開口部２ｂに対応する部分だけでなく、透明カバー３全体をレンズにしてもよい。凸レンズ部３ｂは、電源端子台（ケース）２内部の状態を拡大視するので、ＶＶＦケーブル５の挿入からタブ端子２ｃとの接触までの状態を容易に確認することができる。
凸レンズ部３ｂには、ＶＶＦケーブル５とタブ端子２ｃとの接続状態の確認を補助する機能を果たす目印３ｃを設けることが好ましい。すなわち、目印３ｃとＶＶＦケーブル５の先端の挿入位置とを照らし合わせて接続状態が確認できる。ここでは、目印３ｃを三角形状で表した例を示す（図４に示す）が、破線や目盛りで表してもよい。
【００１６】
図２は、本発明に係る電源端子台（ケース）２の主要断面図である。図２において、電源端子台（ケース）２にＶＶＦケーブル５が接続されている状態について説明する。
まずＶＶＦケーブル５の先端を所定の長さに皮ムキする。皮ムキされたＶＶＦケーブル５を電源端子台（ケース）２に設けられている第１開口部２ａに挿入する。このとき、透明カバー３は電源端子台（ケース）２に固定されていてもいなくても構わない。すなわち、透明カバー３の有無はＶＶＦケーブル５の挿抜には影響しない。そうすると、ＶＶＦケーブル５の挿抜に伴う透明カバー３の着脱作業が軽減し、ＶＶＦケーブル５の挿抜作業を容易にできる。このＶＶＦケーブル５に色付きの絶縁体で覆われているケーブルで構成されたものを用いれば、第１開口部２ａのどの部分にどのケーブルを挿入すればよいか一見して判断できるので、ケーブル接続作業時の手間が軽減できる。
【００１７】
次に、第１開口部２ａから挿入されたＶＶＦケーブル５の電源端子台（ケース）２内部の状態を第２開口部２ｂで確認するとよい。ＶＶＦケーブル５とタブ端子２ｃとの接続状態がテスター等を使用せずに一見して確認できる。また、透明カバー３に備えた凸レンズ部３ｂが、電源端子台（ケース）２内部の状態を拡大するので、ＶＶＦケーブル５とタブ端子２ｃとの接続状態が容易に把握できる。さらに、凸レンズ部３ｂには目印３ｃが設けられているため、ＶＶＦケーブル５の先端と目印３ｃとを照らし合わせるだけで、ＶＶＦケーブル５とタブ端子２ｃとの接続状態が一見して容易に確認できる。例えば、ＶＶＦケーブル５の先端が目印３ｃを越えていれば、ＶＶＦケーブル５が電源端子台（ケース）２に接続されているということになり、越えていなければ、ＶＶＦケーブル５が電源端子台（ケース）２に接続がされていないということになる。
【００１８】
電線接続チェックや出力電圧チェック等の点検作業は、タブ端子２ｃにテスターピンを接触させて行ってもよく、透明カバー３を取り外して第２開口部２ｂにテスターピンを挿入させて行ってもよい。ケーブルを挿抜するだけのような単純な作業の場合には、透明カバー３を取り外すことなく作業できるので、作業負担が軽減しつつ安全性を低下させることがない。またアフターサービスや保守作業のような複雑な作業の場合には、透明カバー３を取り外して作業すればよく、透明カバー３が邪魔になることはない。
【００１９】
図３は、透明カバー３の断面図である。透明カバー３の全体は、透明な合成樹脂で構成するとよい。電源端子台（ケース）２は、空気調和機の状態で熱を発したり、火花が飛散したりするので、透明カバー３をポリカーボネート等の難燃性の素材で構成するとよい。凸レンズ部３ｂは、第２開口部２ｂの内部を拡大視するためのレンズで構成されている。このレンズは、透明カバー３と同じ合成樹脂で構成してもよく、異なる部材で構成してもよい。また、凸レンズ部３ｂを透明カバー３に嵌め込むように構成しても構わない。
なお、ここでは向かい合った二つの表面が二つとも曲面になっている凸レンズを用いた場合を示しているが、向かいあった二つの表面のどちらか一方の表面が平らになっている凸レンズを用いても構わない。
【００２０】
図４は、透明カバー３に設けた凸レンズ部３ｂの拡大上面図である。この凸レンズ部３ｂには、目印３ｃを予め備えるとよい。ここでは、目印３ｃを凸レンズ部３ｂの外周に設けた三角形状とした場合について示している。ＶＶＦケーブル５の接続状態は、この目印３ｃの位置との比較で確認することができるようになっている。ＶＶＦケーブル５の先端が目印３ｃの延長線上より越えていれば、ＶＶＦケーブル５はタブ端子２ｃと接触していることになる。すなわち、ＶＶＦケーブル５が電源端子台（ケース）２に接続されていることになる。また、目印３ｃに施す配色をＶＶＦケーブル５の先端と対比し易いものにすれば、ＶＶＦケーブル５の接続確認作業がより分かりやすくなる。
【００２１】
図５は、空気調和機を構成する室内機と室外機との模式図である。ルームエアコン等の空気調和機は、室内機１０と室外機１１とで構成される。室内機１０内に備えられた電源端子台（ケース）２は、ＶＶＦケーブル５を介して室外機１１と接続している。ここでは、電源端子台（ケース）２が室内機１０に備わっている場合を示したが、室外機１１に備わっていてもよい。また、室内機１０と室外機１１との双方に備わっていても構わない。なお、ここでは室内機１０と室外機１１との電気的な接続のみを図示している。
【図面の簡単な説明】
【００２２】
【図１】本発明の実施の形態に係る電源端子台の全体斜視図である。
【図２】本発明の実施の形態に係る電源端子台の主要断面図である。
【図３】本発明の実施の形態に係る電源端子台の透明カバーの断面図である。
【図４】本発明の実施の形態に係る電源端子台の凸レンズ部の拡大上面図である。
【図５】本発明の実施の形態に係る空気調和機の模式図である。
【符号の説明】
【００２３】
１  電源端子台取付板、２  電源端子台（ケース）、２ａ  第１開口部、２ｂ  第２開口部、２ｃ  タブ端子、３  透明カバー、３ａ  止めネジ用孔、３ｂ  凸レンズ部、３ｃ  目印、４  止めネジ、５  ＶＶＦケーブル、１０  室内機、１１  室外機。
【図１】
2006127785.tif 000003
【図２】
2006127785.tif 000004
【図３】
2006127785.tif 000005
【図４】
2006127785.tif 000006
【図５】
2006127785.tif 000007